(57)【要約】      （修正有）【課題】監視装置と１つまたは複数の機器監視コンポーネントの間の通信インターフェースを構成するシステムおよび方法を提供する。【解決手段】本機器監視コンポーネントは、監視されている機器と近傍にありながら、互いに物理的におよび／または電気的にインターフェースするように設計される。これらのコンポーネントは各々、近接して配置された一意の関連機械可読コードを有する。１セットの構成情報はまた、機械可読コードと関連付けられる。それらのコードは、監視装置および機器監視コンポーネントの間の通信の構成を自動化するために、走査され、構成情報にマップされる。【選択図】図１
2013069281.tif 000002
【特許請求の範囲】
【請求項１】
互いに物理的におよび／または電気的にインターフェースするように設計された監視装置と、一意の関連機械可読コードを各々が有し、関連構成情報を各々が有する、１つまたは複数のコンポーネントとの間の通信インターフェースを構成するシステムであって、
少なくとも１つの数値に、１つまたは複数の選択されたコンポーネントの各コンポーネントに関連する機械可読コードの視覚的表現を入力およびマップするように構成された、コード走査デバイスと、
関連セットの構成情報に前記少なくとも１つの数値をマップするように構成された、コードマッピングファシリテータと、
１つまたは複数の選択されたコンポーネントのうちの前記少なくとも１つのコンポーネントと通信するように設計された監視装置に前記セットの構成情報を通信するように構成された、監視構成ファシリテータと
を備える、システム。
【請求項２】
前記コード走査デバイスが、スマートフォンまたはバーコード走査器である、請求項１記載のシステム。
【請求項３】
前記コード走査デバイスおよび前記コードマッピングファシリテータの間の通信がワイヤレス通信を介する、請求項１記載のシステム。
【請求項４】
前記コード走査デバイスおよび前記通信ファシリテータの間の通信がワイヤレス通信を介する、請求項１記載のシステム。
【請求項５】
各々が一意の関連機械可読コードを有し、前記機械可読コードと関連する関連構成情報をそれぞれ有する、互いに物理的におよび／または電気的にインターフェースするように設計された１つまたは複数の機器監視コンポーネントとの通信インターフェースを構成する方法であって、
前記コンポーネントのうちの少なくとも１つと関連付けられた前記機械可読コードの表現を走査するステップと、
前記機械可読コードに関連付けられた１セットの構成情報の少なくとも一部を取得するステップと、
前記少なくとも１つのコンポーネントと通信するように設計された監視装置に前記セットの構成情報を通信するステップと
を備える、方法。
【請求項６】
前記走査するステップが、前記監視装置と通信するコード走査デバイスで実行される、請求項５記載の方法。
【請求項７】
前記走査デバイスが、スマートフォンまたはバーコード走査器である、請求項６記載の方法。
【請求項８】
機器監視コンポーネントの方位または位置が、前記コード走査デバイスの非走査機能を介して取得される、請求項６記載の方法。
【請求項９】
前記少なくとも１つのコンポーネントが、選択された機器を監視するためのセンサとして機能するように構成された、請求項５記載の方法。
【請求項１０】
前記取得するステップが、各々の前記機械可読コードに関連付けられた前記セットの構成情報の少なくとも一部を記憶する情報のリポジトリとの通信を介して実行される、請求項５記載の方法。
【請求項１１】
前記取得するステップが、各前記機械可読コードに組み込まれた情報の解釈を介して実行される、請求項５記載の方法。
【請求項１２】
複数のコードを備えるセットのうちの各前記機械可読コードに関連付けられた各前記セットの構成情報が、構成ファイルに記憶される構成情報の組み合わされたセットにさらに集約される、請求項５記載の方法。
【請求項１３】
前記組み合わされたセットの構成情報が、前記組み合わされたセット内に含まれる選択された対の機械可読コードの間の互換性をクロスチェックされる、請求項１２記載の方法。
【請求項１４】
前記セットの構成情報が、パラメータ値に等しくなるように各々セットされた１セットの１つまたは複数の構成パラメータを含む、請求項５記載の方法。
【請求項１５】
前記構成パラメータのうちの少なくともいくつかが、固定であるデフォルト値にセットされる、請求項１４記載の方法。
【請求項１６】
前記構成パラメータのうちの少なくともいくつかが、非固定である、他の値にリセットされるデフォルト値にセットされる、請求項１４記載の方法。
【請求項１７】
少なくとも１つの非固定のパラメータの値の入力が、コード走査デバイスによって促される、請求項１６記載の方法。
【請求項１８】
前記取得するステップの後に、そして前記通信するステップに先立って、前記監視装置に１つまたは複数のパラメータ値を通信するステップをさらに備える、請求項１６記載の方法。
【請求項１９】
監視装置カードと関連付けられたコードを走査するステップをさらに備える、請求項５記載の方法。
【請求項２０】
互いに物理的におよび／または電気的にインターフェースするように設計された１つまたは複数の機器監視コンポーネントとの通信インターフェースを構成する方法であって、前記各コンポーネントが一意の関連機械可読コードを有し、前記機械可読コードに関連する関連構成情報を各々有し、
選択された機器を監視するためのセンサとして集合的に機能する前記コンポーネントのうちの少なくとも１つと関連付けらえた機械可読コードの表現をコード走査デバイスを介して走査するステップと、
構成情報のリポジトリとの通信を介して前記機械可読コードに関連付けられた１セットの構成情報を取得するステップと、
選択された前記機器を監視する間に前記コンポーネントのうちの少なくとも１つと通信するように設計された監視装置に前記セットの構成情報を通信するステップと
を備える、方法。
【発明の詳細な説明】
【技術分野】
【０００１】
本明細書で開示される主題は、コンポーネントを監視する機器の構成に関する。
【背景技術】
【０００２】
工場は、工場内の他の機器の動作を監視するために様々なタイプのコンポーネントを使用するように設計される。これらのコンポーネントは、互いに物理的におよび／または電気的に取り付けることができ、遠隔に置かれた監視装置との通信インターフェースを有し得る。そのような通信インターフェースは通常は、監視装置の適切なおよび正確な動作のために構成される必要がある。そのような通信インターフェースを構成する通常の手順は、時間がかかり、不正確に易くなり得る。
【０００３】
通常のシステムでは、ユーザは、機器（たとえば、タービン）の視覚近傍まで歩き、次いで、各コンポーネントのタイプ、製造業者およびモデルなど、各監視コンポーネント上に見られる特徴および外部のマーキングを識別し、次いで、たとえばノートパッドへの書き込みを介するなどして、そのような情報を記録し、次いで、その機器から２００ヤード離れて位置することもある監視装置へと歩いて行く。ユーザは次いで、その監視装置によって提供されるユーザインターフェースと対話し、そして、たとえば各コンポーネントのタイプ、製造業者およびモデルなどの各コンポーネントの特徴を表す、通常はキーボードおよび／またはマウスを介する監視装置への情報を通信する。監視装置のユーザインターフェースに入力される必要があり得る任意の情報が、ユーザによって不正確に記録されるまたは全く記録されなかった場合がある。結果として、機器監視コンポーネントと通信するための監視装置の動作を指図する構成情報は、不正確におよび／または不完全になることがある。ユーザは、入力された構成情報が不正確または不完全であることを認識するまたはしないことがある。
【０００４】
そのような構成の問題がユーザによって認識された場合、ユーザは、機器まで移動して（たとえば、歩いて）戻って、機器監視コンポーネントのインストールされたセットの構成に関連すると理解された任意の情報を再び記録しようと試み、次いで、監視装置まで移動して戻ってユーザインターフェースプログラムを介してそのような情報を再入力することになろう。そのような構成の問題がユーザによって認識されない場合、ユーザは、監視装置を適切に構成しなくなることになり、結果として、監視装置は、機器監視コンポーネントから受信される信号の不正確な処理をもたらす可能性のある、不完全なおよび／または不正確な構成情報によって導かれながら動作することを許されることになる。
【０００５】
前述の議論は、単に一般的な背景情報として提供され、本特許請求の主題の範囲を判断する助けとして使用されるものではない。
【発明の概要】
【０００６】
監視装置と１つまたは複数の機器監視コンポーネントの間の通信インターフェースを構成するためのシステムおよび方法が開示される。本機器監視コンポーネントは、監視されている機器と近傍にありながら、互いに物理的におよび／または電気的にインターフェースするように設計される。これらのコンポーネントは各々、近接して配置された一意の関連機械可読コードを有する。１セットの構成情報はまた、機械可読コードと関連付けられる。それらのコードは、監視装置および機器監視コンポーネントの間の通信の構成を自動化するために、走査され、構成情報にマップされる。
【０００７】
いくつかの開示される実施形態の実践で実現され得る利点は、監視装置と１つまたは複数の機器監視コンポーネントの間の通信インターフェースを構成するときの、時間消費の低減および改善された正確性である。
【０００８】
例示的な一実施形態では、システムが、互いに物理的におよび／または電気的にインターフェースするように設計された監視装置および１つまたは複数のコンポーネントの間の通信インターフェースと、一意の関連機械可読コードを各々有するコンポーネントおよび関連構成情報を有する各コンポーネントのうちの１つまたは複数、少なくとも１つの数値に、１つまたは複数の選択されたコンポーネントの各々と関連する機械可読コードの視覚的表現を入力およびマップするように構成されたコード走査デバイスを含むシステムと、１つの関連セットの構成情報に少なくとも１つの数値をマップするように構成されたコードマッピングファシリテータと、１つまたは複数の選択されたコンポーネントのうちの少なくとも１つのコンポーネントと通信するように設計された監視装置にそのセットの構成情報を通信するように構成された監視構成ファシリテータとを構成するために開示される。
【０００９】
もう１つの例示的な実施形態では、互いに物理的におよび／または電気的にインターフェースするように設計された１つまたは複数の機器監視コンポーネントであって、それらのうちの１つまたは複数が一意の関連機械可読コードを各々有し、機械可読コードと関連付けられた関連構成情報を各々有するコンポーネントとの通信インターフェースを構成する方法が提供される。本方法は、それらのコンポーネントのうちの少なくとも１つと関連付けられた機械可読コードの表現を走査するステップと、機械可読コードと関連付けられた１セットの構成情報の少なくとも一部を取得するステップと、その少なくとも１つのコンポーネントと通信するように設計された監視装置にそのセットの構成情報を通信するステップとを含む。
【００１０】
もう１つの例示的な実施形態で、本発明は、互いに物理的におよび／または電気的にインターフェースするように設計され、各々が一意の関連機械可読コードを有するコンポーネントであって、各々がその機械可読コードに関連付けられた関連構成情報を有する１つまたは複数の機器監視コンポーネントとの通信インターフェースを構成する方法を提供し、本方法は、コード走査デバイスを介してそれらのコンポーネントのうちの少なくとも１つと関連付けられた機械可読コードの表現を走査するステップを含み、それらのコンポーネントは、選択された機器を監視するための、構成情報のリポジトリとの通信を介して機械可読コードと関連付けられた１セットの構成情報を取得するための、および選択された機器を監視しながらそれらのコンポーネントのうちの少なくとも１つと通信するように設計された監視装置にそのセットの構成情報を通信するためのセンサとして集合的に機能する。
【００１１】
本発明の概要は、１つまたは複数の例示的実施形態により本明細書で開示される主題の簡単な概要を提供することのみを意図し、本特許請求を解釈するための、あるいは添付の特許請求の範囲によってのみ定義される本発明の範囲を定義または限定するための案内の役割をしない。本概要は、「発明を実施するための形態」で以下にさらに説明される、簡易化された形での概念の例示的選択を紹介するために提供される。本概要は、特許請求される主題の主要な特徴または本質的な特徴を識別するものではなく、特許請求される主題の範囲を判断する際の助けとして使用されるものではない。特許請求される主題は、背景で指摘された何れかのまたはすべての欠点を解決する実装に限定されない。
【００１２】
本発明の特徴が理解され得る形であるように、本発明の詳細な説明は、そのうちのいくつかが添付の図面に示された、ある種の実施形態を参照することによって行われ得る。しかし、これらの図面は本発明のある種の実施形態のみを説明し、したがって、その範囲を限定するものと解釈されるべきではなく、本発明の範囲は他の同様に効果的な実施形態を包含する。図面は、必ずしも原寸に比例せず、発明のある一定の実施形態の特徴を説明することに概して重点が置かれている。図面で、同様の番号は、様々なビューを通して同等の部分を示すために使用される。したがって、本発明をさらに理解するために、以下のような図面に関して読まれる以下の詳細な説明への参照が行われ得る。
【図面の簡単な説明】
【００１３】
【図１】工場機器の動作、状態または調子を監視する監視装置を含むシステムの一実施形態を示す図である。
【図２】図１の監視装置内の計算ハードウェアの図である。
【図３】１セットの機器監視コンポーネントおよび監視装置の間の通信を自動的に構成するためにユーザによって使用される走査デバイスの図である。
【図４】機器監視コンポーネント構成の走査デバイスを使用するための手順の一実施形態の流れ図である。
【発明を実施するための形態】
【００１４】
図１は、タービン１１０などの工場機器の動作を監視するシステム１００の例示的な一実施形態を説明する図である。図示するように、センサ、電子機器およびトランスジューサを通常は含む、１セットの機器監視コンポーネント１２０〜１２４は、タービン１１０などの選択された機器の動作を監視する目的で互いにインターフェースするように設計され、タービン１１０の外面に沿って配置されて示される。概して、そのようなコンポーネントは、工場機器の特定のユニットの最も近くに、隣接して、またはその内部に配置される。この例示的な実施形態で、ケーブル１２８は、機器監視コンポーネント１２０〜１２４のうちの少なくとも１つおよび監視装置１３０の間に電気的接続を提供する。
【００１５】
図示するように、機械可読コード１５０〜１５４は、各それぞれのコンポーネント１２０〜１２４にそれぞれに取り付けられる。機械可読コード１５０は、コンポーネント１２０に取り付けられ、機械可読コード１５２はコンポーネント１２２に取り付けられ、そして、機械可読コード１５４はコンポーネント１２４に取り付けられる。機械可読コードは、コード走査デバイス１４０によって復号され得る情報をコード化するように設計されたパターンを表示する。バーコード、ＱＲコード(登録商標）、光学製品マーキングなどとも称される多数のタイプの機械可読コードがある。機械可読コードはまた、たとえば、文字または数を含む製品コードなど、人間が読み取ることができるように設計可能であり、必ずしも人間の目を介して読み取るのに適さないとは限らない。監視装置１３０は、コンピュータハードウェアおよびソフトウェアを含み、機器監視コンポーネント１２０〜１２４から送信される電子信号を受信および処理するように設計される。
【００１６】
これらのコンポーネント１２０の各々のタイプ、製造業者、モデルおよび動作の特徴など、これらの機器監視コンポーネント１２０〜１２４の各々の属性は、異なり得る。結果として、機器監視コンポーネント１２０〜１２４から受信される信号の監視装置１３０による正しい処理は、その機器の機器監視コンポーネント１２０〜１２４の動作の特徴および／またはその機器の構成などの属性を定義するある種の構成パラメータが、監視装置１３０内で記憶および処理される構成情報内に含まれることを必要とする。さらに、監視装置自体の属性および動作の特徴を定義する構成パラメータもまた、構成情報内に含まれ得る。
【００１７】
監視装置１３０は、監視通信ハードウェア１３２および監視ソフトウェア１３４を含む。監視ソフトウェア１３４は、ケーブル１２８から監視装置１３０によって受信される信号の処理を指図するための情報を提供する、構成ファイルの形式でパッケージ化された、構成情報を入力および処理するように設計される。いくつかの例示的な実施形態で、たとえば、Ｂｅｎｔｌｙ  ＮｅｖａｄａのＧｅｎｅｒａｌ  Ｅｌｅｃｔｒｉｃ  Ｃｏｍｐａｎｙからの提供される監視システムを含み、構成ファイルは（．ｒａｋ）ファイルと称される。
【００１８】
示されている例示的な実施形態では、監視ソフトウェア１３４はまた、ユーザインターフェースハードウェア１３６を介する視覚的表示、キーボードおよびポインティングデバイス（マウス）を含むユーザインターフェースハードウェア１３６を介してユーザと対話するように設計されたユーザインターフェースプログラムを含み、ユーザは、構成パラメータ名、およびそれらの名前の付いたパラメータの関連パラメータ値を見ることができ、さらに、各パラメータ名に関連付けられたパラメータ値を修正することができる。
【００１９】
画像取込デバイスとも呼ばれる、コード走査デバイス１４０は、機器監視コンポーネント１２０〜１２４のセットの近傍に配置され、各機器監視コンポーネント１２０〜１２４のデジタル画像の、走査とも称される、取込みを行うために、使用される。アプリケーションソフトウェアが、各機器監視コンポーネント１２０〜１２４の画像内に表示される機械可読コード１５０〜１５４（図３を参照）の表現を走査および識別するために、技術的効果を有するコード走査デバイス１４０内で使用される。さらなる技術的効果として、ソフトウェアが、コードに関連付けられた１セットの構成情報を取得し、関連機器監視コンポーネント１２０〜１２４と通信するように設計された監視装置１３０に構成情報を通信するために、そのコードをマップする。走査デバイス１４０は、ＩＥＥＥ８０２．１１、ブルートゥース、または他のワイヤレス通信規格にしたがって監視装置１３０および／またはコンピュータ１３６への双方向のワイヤレス通信を開始するように設計される。
【００２０】
コード走査デバイス１４０を使用しながら、ユーザは、機器監視コンポーネント１２０〜１２４と関連して配置された任意のコードの走査から取得され得ない機器監視コンポーネント１２０〜１２４の方位および位置などを含む、他のタイプの構成情報を取得することができる。
【００２１】
いくつかの実施形態で、コード走査デバイス１４０は、コード走査デバイス１４０に対する重力の方向およびその方位を測定するように設計された、たとえば、加速度計および／またはジャイロスコープなどのハードウェアを含む。コード走査デバイス１４０の組込み型のデジタル論理の実行と画像取込および表示能力などを含む、コード走査デバイス１４０の他の能力と組み合わせて、重力の方向に対するコード走査デバイス１４０の方位が、コード走査デバイス１４０を介して、判定され得る。これは特に、機器監視コンポーネント１２０〜１２４として機能しているプローブの方位を構成するときに、有用である。ある種の状況では、プローブは、重力の方向に対して特定の角度に向けられる必要があり得る。
【００２２】
コード走査デバイス１４０を介して機器監視コンポーネント１２０〜１２４を見ている間に、コード走査デバイス１４０の近傍に配置された機器監視コンポーネント１２０〜１２４の方位が判定され得る。機器監視コンポーネント１２０〜１２４がコード走査デバイス１４０を介して見られている間に、機器監視コンポーネント１２０〜１２４の方位は、重力の方向に対して、および／またはコード走査デバイス１４０の方位に対して、測定され得る。
【００２３】
いくつかの実施形態で、コード走査デバイス１４０は、機器監視コンポーネント１２０〜１２４がコード走査デバイス１４０のユーザインターフェース表示画面１４０ａを介して見られている間に、その周囲に沿った方位数字の角度を代わりに指示する循環時計の一般的外貌を有する、方位角度測定テンプレートを提供する、そして機器監視コンポーネント１２０〜１２４の画像に重ね合わされる、モードに置かれる。この特徴は、コード走査デバイス１４０が重力の方向と同一方向に向けられている間に、コード走査デバイス１４０のユーザが、機器監視コンポーネント１４０の方位の角度を見るおよび測定することができるようにする。結果として、機器監視コンポーネント１２０〜１２４の方位が、コード走査デバイス１４０の方位測定機器の画像表示および角度を介して機器監視コンポーネント１２０〜１２４を見ている間に、重力の方向に関して、測定および調節され得る。
【００２４】
いくつかの実施形態で、コード走査デバイス１４０は、コード走査デバイス１４０の位置を測定および報告するように設計された、全地球測位システム（ＧＰＳ）コンポーネントなどの、ハードウェアを含む。機器監視コンポーネント１２０〜１２４の位置は、コード走査デバイス１４０が機器監視コンポーネント１２０〜１２４の位置の最も近くにまたは隣接して置かれているときに、判断され得る。結果として、機器監視コンポーネント１２０〜１２４の位置および／または方位は、機器監視コンポーネント１２０〜１２４に関連する１セットの構成情報に含まれ得る。
【００２５】
特定の機器監視コンポーネント１２０〜１２４に関連するコードの走査から取得されるものとは別に機器監視コンポーネント１２０〜１２４構成情報の取得は、本明細書において、コード走査デバイス１４０を介する構成情報の直接（非走査）識別と呼ばれる。直接識別を介して、機械可読コード内のコード化されていない構成パラメータが、人の目による観察を介して、あるいは、コード走査デバイス１４０によって提供される表示画像を介して見られるような機器測定コンポーネント１２０〜１２４の方位など、画像認識および／または他のコード読取デバイス１４０センサを介して測定される構成パラメータなど、コード走査デバイス１４０の他の機能を介して、取得される。
【００２６】
特定の機器監視コンポーネント１２０〜１２４に関連する他の非走査構成は単純に、コード走査デバイス１４０にユーザによって観測および入力され得る。たとえば、機器監視コンポーネント１２０〜１２４のスケール因子、方位、出力のタイプおよびフルスケールレンジなど、このタイプの構成情報が、処理および／または記憶のために他の宛先に特定の機器監視コンポーネント１２０〜１２４の１セットの通信情報内で通信される。
【００２７】
いくつかの例示的な実施形態で、機器監視コンポーネント１２０のセットは、タービン１１０などの機器の振動を監視するように設計される。たとえば、いくつかの例示的な実施形態で、監視コンポーネントは、Ｂｅｎｔｌｙ、ＮｅｖａｄａのＧｅｎｅｒａｌ  Ｅｌｅｃｔｒｉｃ  Ｃｏｍｐａｎｙによって供給される３３００ＸＬ振動装置とも本明細書で称される、３３００ＸＬセンサ装置として実装され得る。３３００ＸＬ装置は、送信機１２０、延長ケーブル１２２、および近接プローブ１２４を含む。延長ケーブル１２２は、異なる長さで（たとえば、５メートルモデルまたは９メートルモデル版として）設計可能である。
【００２８】
いくつかの例示的な実施形態で、監視装置１３０は、Ｇｅｎｅｒａｌ  Ｅｌｅｃｔｒｉｃ  Ｃｏｍｐａｎｙによってやはり供給される、資産状態モニタとも称される、３５００シリーズ状態監視および保護システムとして実装される。この監視装置１３０内には、電子カードとして各々実装された様々なタイプの監視モジュールを受け取るためのカードスロットが存在する。いくつかの例示的な実施形態で、監視装置１３０は、（４）チャネルを有する３５００／４２振動モニタを含む。これらの４チャネルのうちの１つが、送信器１２０に取り付けられることになるケーブル１２８を受け取ることになる。
【００２９】
図２は、図１の監視装置内の計算ハードウェア２００の図である。この例示的な実施形態で、監視ソフトウェア１３４は、監視装置１３０内に含まれるコンピュータハードウェア上で実行するコンピュータソフトウェアアプリケーションとして実装される。監視ソフトウェア１３４は、オペレーティングシステムアプリケーションプログラミングインターフェース（ＡＰＩ）を介して、たとえばＭｉｃｒｏｓｏｆｔまたはＵＮＩＸ(登録商標）オペレーティングシステムなど、オペレーティングシステム２２０と相互運用するように構成され得る。監視ソフトウェア１３４は、監視装置１３０のアーキテクチャ内に存在するシステムバス２１０を介して電子的にアクセス可能な中央処理ユニット（ＣＰＵ）２１２の動作を指図する。別法として、監視ソフトウェア１３４は、たとえばＬｉｎｕｘ(登録商標）などのＵＮＩＸ(登録商標）の変形など、他のオペレーティングシステムおよび／またはコンピューティングプラットフォーム上に、または他のＭｉｃｒｏｓｏｆｔ提供のオペレーティングシステム、様々なＩＢＭ、ｒｅａｌ−ｔｉｍｅ、または他のＭｉｃｒｏｓｏｆｔ提供のオペレーティングシステム上にプログラムされ得る。オペレーティングシステム２２０は、その中に監視ソフトウェア１３４およびオペレーティングシステムソフトウェア２２０が存在する仮想メモリ２３０として物理メモリ２１４を管理するように設計され得る。
【００３０】
監視通信ハードウェア１３２は、システムバス２１０に電子的に取り付けられ、機器監視コンポーネント１２０〜１２４との通信を可能にするケーブル１２８（図１を参照）に取り付けられる。監視ハードウェア１３２は、システムバス２１０を介してＣＰＵ２１２および監視ソフトウェア１３４からアクセス可能であり、機器監視コンポーネント１２０〜１２４との通信中に監視通信ハードウェア１３２とインターフェースするために、監視ソフトウェア１３４に利用可能である。
【００３１】
ユーザインターフェースハードウェア１３６はまた、システムバス２１０およびデバイス通信ハードウェア２１８を介してＣＰＵ２１２および監視ソフトウェア１３４からアクセス可能であり、ユーザとの対話を指図するために、監視ソフトウェア１３４に利用可能である。デバイス通信ハードウェア２１８は、データリポジトリ２２２のおよびユーザインターフェースハードウェア１３６のハードウェアとインターフェースする。
【００３２】
任意選択で、監視装置１３０はまた、通信入力／出力ハードウェア２１８を介して１つまたは複数のコンピュータネットワーク２２４とインターフェースすることもできる。コンピュータネットワーク２２４は、インターネットを含むものなど、１セットのローカルおよび／または広域ネットワークとして実装され得る。それらのネットワークは、ハンドヘルドデバイスおよび／または機器監視コンポーネント１２０〜１２４を含む、様々な他のデバイスとのワイヤレス通信をサポートすることができる。そのようなネットワーク通信実施形態で、ケーブル１２８などの直接ケーブル接続は、ワイヤレス通信に加えて、重複するまたは不必要であることがある。そのようなネットワークは、機器監視コンポーネントがネットワーク監視装置の位置から遠く離れて置かれることを可能にすることができる。
【００３３】
図１に戻ると、通常のシステム１００で、機器監視コンポーネント１２０〜１２４は、物理的におよび電気的に互いに取り付けられ、タービン１１０の最も近くに配置される。機器監視コンポーネント１２０〜１２４は電気的信号運搬ケーブル１２８の第１の末端部に取り付けられ、監視装置１３０はケーブル１２８の反対のおよび第２の末端部に接続される。
【００３４】
前述のシステム１００で、機器監視コンポーネント１２０〜１２４は、監視装置１３０と通信するように完全に構成される前にインストールされる。通常のシステムで、ユーザは、機器（たとえば、タービン１１０）の近傍まで歩き、インストールされた機器監視コンポーネント１２０〜１２４の構成を自動化するために、コード走査デバイス１４０を使用する。一実施形態で、コード走査デバイス１４０はまた、画像取込デバイスである。
【００３５】
コード走査デバイス１４０は、各機器監視コンポーネント１２０〜１２４に関連する視覚的情報を取り込むために、使用される。そのような視覚的情報は、各コンポーネントに関連する一意のコードを識別および復号するために、そして、各コードに関連する機器監視コンポーネント１２０〜１２４に関する構成情報を取得するために、コード走査デバイス１４０によって処理される。視覚的情報はまた、たとえば、各それぞれのコードの走査に関連して取得され得ないコンポーネント方位および／または位置に関する他の情報も含み得る。そのような構成情報は、コード走査デバイス１４０によって直接に、あるいはコード走査デバイス１４０を介してユーザによって、または観察を介してユーザによって、取得可能であり、ユーザが監視装置１３０に赴く必要なしに、監視装置１３０に自動的に通信され得る。
【００３６】
図３は、前述したように、ユーザによって使用されて機器監視コンポーネント１２０〜１２４のセットと監視装置１３０の間の通信を自動的に構成する、コード走査デバイス１４０の図である。図示するように、コード走査デバイス１４０は、ユーザインターフェース表示画面１４０ａとナビゲーションおよびテキスト入力キーボード１４０ｂとを含む。いくつかの例示的な実施形態で、コード走査デバイス１４０は、他のワイヤレスネットワークノードへの８０２．１１に準拠するなどしたワイヤレス通信能力を有するバーコード走査器として実装される。他の例示的な実施形態で、コード走査デバイス１４０は、画像取込および表示能力を有するスマートフォンとして知られる、そしてワイヤレス通信能力を提供する、カメラを有する携帯電話である。
【００３７】
コード走査デバイス１４０の内部は、コード走査デバイス１４０がプロセッサ（中央処理ユニット）、仮想２３０および／または物理メモリ２１４、少なくとも１つのシステムバスおよびアプリケーションソフトウェアを含むことになる点で、図２のそれと同様である。アプリケーションソフトウェアは、コード走査デバイスハードウェアを機械可読コード１５０〜１５４を走査および復号するように、そして、リポジトリソフトウェア１３８を介してリポジトリ２２２と通信し、監視ソフトウェア１３４を介して監視通信ハードウェア１３２と通信するように導くように設計される。アプリケーションソフトウェアは、図２の監視ソフトウェア１３４およびオペレーティングシステムソフトウェア２２０の間のインターフェースに関して示されるもののように、メモリ２３０内にやはり存在するオペレーティングソフトウェアとインターフェースする。アプリケーションおよびオペレーティングシステムソフトウェアは、コードマッピングおよび監視構成とコードマッピングおよび監視構成に必要とされる任意の通信とを容易にする手順を含む。
【００３８】
いくつかの実施形態で、コードマッピングは、コードマッピングデバイス１４０自体内に置かれたリポジトリを介して実行される。いくつかの実施形態で、コードマッピングデバイス１４０は、ドッキングステーションを介するなどした、ワイヤラインであり、リポジトリおよび／または監視システムとの通信のために他のデバイスと通信している。
【００３９】
監視装置１３０は、様々なカードタイプの格納のための（８）カードスロットを各々含む１セットのラック３３２〜３３８として示される。ラック３３８のカード３４０は、ケーブル１２８を介して機器監視コンポーネント１２０〜１２４から送信される信号を処理するように設計される。カード３４０は、垂直線上に配列された（４）チャネルを含む。ケーブル１２８は、第３の上位チャネルであるチャネル番号３に取り付けられる。
【００４０】
図１に戻ると、通常のシステム１００で、機器監視コンポーネント１２０〜１２４は、互いに物理的におよび／または電気的に取り付けられ、タービン１１０の外面に配置される。機器監視コンポーネント１２０〜１２４は、電気的信号運搬ケーブル１２８の第１の末端部に接続され、それは監視装置１３０に接続された第２の末端部を有する。前述のシステム１００で、コンポーネントは、監視装置１３０と通信するように完全に構成されるのに先立って、インストールされる。
【００４１】
さらに、ユーザは、タービン１１０の見える近傍まで歩き、次いで、コード走査デバイス１４０を介して１つまたは複数のインストールされたコンポーネントの各コンポーネントの画像を取り込むまたは分析することができる。コード走査デバイス１４０は、取り込まれた各画像を処理して、その取り込まれた画像内のコードを捜し出すおよび識別するように設計される。各コードを識別したときに、コード走査デバイス１４０は、そのコードによって表される数値を判断する。コード走査デバイス１４０は、そのコンポーネントを表すコードに関連する１セットの構成情報へのコードの数値へのマッピング動作を開始する。
【００４２】
例示的な一実施形態で、コード走査デバイス１４０は、コードおよび構成情報のリポジトリ２２２にアクセスするリポジトリソフトウェア１３８へのコードの数値を含むワイヤレス通信を送信することによって、マッピング動作を実行する。リポジトリ２２２は、機器監視コンポーネント１２０〜１２４を表すコードと機器監視コンポーネント１２０〜１２４を表すコードに関連する構成情報との間の連想をコード化する情報を記憶する。それに応じて、リポジトリソフトウェア１３８は、コンポーネントを表すコードに関連する構成情報を含むコード走査デバイス１４０への通信を送信する。リポジトリソフトウェア１３８、リポジトリ２２２およびコード走査デバイス１４０とインターフェースする通信能力を使用する前述の機構は、コードマッピングファシリテータとも称され得る。
【００４３】
構成情報は、各々に名前を付けられたおよびデフォルトパラメータ値と同等にセットされた１セットの１つまたは複数の構成パラメータをコード化するように設計される。構成パラメータのいくつかは、固定されたデフォルト値に設定可能であるが、一方で、他の構成パラメータは固定ではないデフォルト値に設定可能であり、ユーザによるリセットに適合している。
【００４４】
そのような使用で、コード走査デバイス１４０内のソフトウェアが、名および値によって構成パラメータをリストし、ユーザインターフェース表示画面１４０ａを介して、各走査されるコンポーネントに関連する１つまたは複数の名前の付けられた構成パラメータの非固定の値を任意選択でセットまたはリセットするようにユーザに促す。ユーザは、コード走査デバイス１４０によってリストされた１つまたは複数の非固定の構成パラメータのうちのいくつかまたはすべての値を修正することを選択してもしなくてもよい。この記載されている状況で、リストに記載された構成パラメータは、１つの走査される機器監視コンポーネント１２０〜１２４と関連付けられる。
【００４５】
たとえば、機器監視コンポーネント１２０〜１２４は、外部の手動設定可能なスイッチを含み得る。ユーザは、スイッチのポジションをセットする、およびその機器監視コンポーネント１２０〜１２４と関連して対応する非固定のパラメータを設定するオプションをもつ。いくつかの例示的な実施形態で、ユーザはまた、機器監視コンポーネント１２０〜１２４に関連する固定構成パラメータ値を修正および本質的に無効にすることもできる。
【００４６】
リストに記載されたパラメータ名および値を見て、構成パラメータの固定または非固定の値を承認した後に、ユーザは、識別されたラックおよびカードスロットと機器監視コンポーネントが通信しようとする監視装置１３０のチャネルとに関連する構成情報の処理のために監視装置１３０に構成情報を送信するために、コード走査デバイス１４０にコマンドを入力する。それに応答して、監視装置１３０は、受信された構成情報を処理して、ケーブル１２８を介して機器監視コンポーネント１２０〜１２４と通信しているときに、監視装置１３０の識別されたラック、カードスロットおよびチャネルの動作を導くために、監視装置１３０にロードされるおよびそれよって処理される構成ファイルを生成するために、受信された構成情報を処理する。識別されたラックおよびカードスロットと機器監視コンポーネントが通信しようとする監視装置１３０のチャネルに関連して構成情報を処理する前述の機構は、監視構成ファシリテータと称され得る。
【００４７】
図１に示すような複数の機器監視コンポーネント１２０〜１２４が存在する状況で、それぞれの機器監視コンポーネント１２０〜１２４の複数の機械可読コードはそれぞれ、走査され、マップされ、そして、各走査されるコードのコンポーネントごと構成情報の結果として生じるセットは、構成情報の１つの組み合わされたセットに統合または集約される。その組み合わされたセットの構成情報が、ラックおよびカードスロットとチャネル識別子に関連する構成処理のために監視装置１３０に送信される。それに応答して、監視装置１３０は、複数の機器監視コンポーネント１２０〜１２４と通信しているときに監視装置１３０の識別されたラック／スロットおよびチャネルの動作を導くために、監視装置１３０にロードされ、それによって処理される、構成ファイルを生成するために、構成情報を処理する。
【００４８】
いくつかの例示的な実施形態で、コード走査デバイス１４０は、ユーザがコマンドを入力して組み合わされたセットの構成情報のクロスチェック手順を実行するように、設計される。このクロスチェックコマンドは、選択された対のコンポーネントに各々関連付けられた対のコンポーネントごと構成情報の間の互換性を判断する。任意の構成で、互いに互換性がないと、または、現在の構成では互いに互換性がないと判断された対のコンポーネントが、ユーザにコード走査デバイス１４０によって識別される。
【００４９】
構成されたコンポーネントの間の非互換性がクロスチェック手順によって識別されない場合、そのような結果はユーザに示される。ユーザは、コード走査デバイス１４０にコマンドを入力して、ラックおよびカードスロットとチャネル識別子に関連する構成処理のために監視装置１３０にそのクロスチェックされた構成情報を送信する。それに応答して、監視装置１３０は、構成情報を処理して、それが複数の機器監視コンポーネント１２０〜１２４と通信しているときに、監視装置１３０の識別されたラック／スロットおよびチャネルの動作を導くために、ロードおよび処理される構成ファイルを生成する。
【００５０】
図４は、機器監視コンポーネント構成のためのコード走査デバイス１４０を使用する手順の例示的な一実施形態の流れ図である。図示するように、第１のステップ４０２は、走査するために使用可能な、任意のまたは別の、機器監視コンポーネント１２０〜１２４が存在するかどうかを尋ねる。存在する場合、その後、機器監視コンポーネントが走査される４０４。次に、走査されるコンポーネント構成情報が、走査されるコードに関連してコード走査デバイス１４０によって取得され、リストに記載される４０６。
【００５１】
次に、ユーザは、走査されるコンポーネントのリストに記載された構成パラメータを読み、走査されるコンポーネントの構成パラメータ値が修正されるべきかを判断する。いくつかの例示的な実施形態で、ソフトウェアは、走査される特定の機器監視コンポーネント１２０〜１２４のタイプに基づいて、関連固定値を有さない、走査されるコードに関連する構成情報の構成パラメータ値を強調表示するように設計される。たとえば、機器監視コンポーネント１２０〜１２４は、ユーザによって操作可能なポジションを各々有する１つまたは複数のユーザ選択可能スイッチを有し得る。ユーザは、そのようなスイッチのポジションに関連して構成値パラメータを修正するためのオプションを有する（ステップ４０８）。次に、構成パラメータが修正されてもされなくても、コンポーネントごと構成情報が、コード走査デバイス１４０にコマンドを入力することによって、保存される（ステップ４１０）。
【００５２】
次に、手順はステップ４０２に戻って、走査されるべき残りの機器監視コンポーネント１２０〜１２４が存在するかどうかを尋ねる。存在する場合、ステップ４０４〜４１０の実行が別の機器監視コンポーネント１２０〜１２４について繰り返される。残りの機器監視コンポーネント１２０〜１２４が走査するために使用可能でない場合、次いで、ステップ４１２に進んで、少なくとも１つのコンポーネントが走査されたか？を尋ねる。そうである場合、次いで、ステップ４１４に進んで、選択された対の個々に走査されたおよび構成された機器監視コンポーネント１２０〜１２４の間の互換性のクロスチェックのために監視装置１３０にコンポーネント構成情報を結合および通信する。監視装置１３０は次いで、コード走査デバイス１４０からの前の通信の受信および処理を確認し、コード走査デバイス１４０から前の通信の処理の結果を報告するコード走査デバイス１４０への応答を通信で返す。次に、ユーザは、組み合わされた構成情報が互換性クロスチェックの検査に合格し、互換性エラーはなく、監視装置１３０によって使用するための処理を無事に完了したことを確認する（ステップ４１６）。
【００５３】
いくつかの例示的な実施形態で、ユーザは、機器監視コンポーネント１２０〜１２４と通信することになる監視装置１３０内の特定のラックおよびカードスロット内にある選択された監視カード上に配置された機械可読コードを走査するために、コード走査デバイス１４０を任意選択で使用する。走査されるコードは、この場合には、走査されるコンポーネントが選択された監視カードである、コンポーネントごとセット構成情報にマップされる。この例示的な実施形態で、選択された監視カードおよび１つまたは複数の他の機器監視コンポーネント１２０〜１２４の間の互換性が、クロスチェック手順を介して判断され得る。
【００５４】
さらに、いくつかの例示的な実施形態で、選択された監視カードについて取得されたコンポーネントごと構成情報は、マッピング手順によって使用されて、選択された監視カードと通信するように期待され、構成されている１つまたは複数の他の機器監視コンポーネントと関連するコンポーネントごと構成情報を改訂する。
【００５５】
たとえば、選択された監視カードは、特定の機器監視コンポーネント１２０〜１２４の動作に関してプログラマブル警報セットポイントをサポートするように設計され得る。この状況で、そのような警報セットポイントは、警報セットポイントが適用されることになる選択された機器監視コンポーネント１２０〜１２４に関連する非固定の構成パラメータ値としてユーザによってセットまたはリセットされ得る。
【００５６】
別の状況では、選択された監視カードは、特定の機器監視コンポーネント１２０〜１２４の動作に関してプログラマブル警報セットポイントをサポートするように設計されないことがある。この状況では、そのような警報セットポイントは、その選択された機器監視コンポーネント１２０〜１２４がそのような設計のない選択された監視カードと通信するように構成されるときに、そのコンポーネントと関連する構成パラメータとしてユーザによってセットするために使用することはできない。結果として、そのような警報セットポイント機能がない選択された監視カード上に配置された機械可読コードの走査は、警報セットポイント構成パラメータを選択された機器監視コンポーネント１２０〜１２４に関連するコンポーネントごと構成データに追加させることにはならない。
【００５７】
構成情報の組み合わされたセットが監視装置１３０に送信され、それによって処理された後に、監視装置１３０は、１つまたは複数の構成された機器監視コンポーネント１２０〜１２４の動作を監視するように構成される。
【００５８】
ループチェッキングと称される、いくつかの例示的な実施形態で、機器監視コンポーネント１２０〜１２４の動作の監視期間中に、コマンドの入力を受けてコード走査デバイス１４０は、機器監視コンポーネント１２０〜１２４の動作状況に関して監視装置１３０と遠隔で通信し、そこから情報を取得する。たとえば、コンポーネントが監視装置１３０のスロット３４０内にある監視カードのチャネル番号３（図３を参照）と通信している場合、ユーザは、そのチャネルと通信している機器監視コンポーネント１２０、そのスロット３４０内のカード、から送信された情報を取得することができる。また、システム性能は、ループチェックおよび最後のインストレーションセットアップの完了後にコマンドの入力を介して監視および確認され得る。
【００５９】
たとえば、機器監視コンポーネント１２０〜１２４がうず電流タイプのセンサを備える場合、送信される情報は、機器監視コンポーネント１２０〜１２４によって測定されるギャップ電圧の値を示すことができる。ギャップ電圧が疑わしく低いまたは高い場合、ユーザは、機器監視コンポーネント１２０〜１２４が適切に動作していることを検証するために、または機器監視コンポーネント１２０〜１２４がスロット３４０のチャネル３に実際に正しくワイヤ接続されていることを検証するために、機器監視コンポーネント１２０〜１２４の位置に移動して、うずプローブギャップを調整してバイアス電圧での対応する変化を測定するなど、さらなる行動を取ることができる。そうでない場合には、ケーブル１２８は、ユーザの意図したのとは別のチャネルおよび／またはスロットに間違ってワイヤ接続されていることがある。
【００６０】
いくつかの実施形態で、コード走査デバイス内のハードウェアを導くソフトウェアは、コード走査デバイスを介して少なくとも１つの機器監視コンポーネントに関連付けられた機械可読コードの表現の走査を実行し、構成情報のリポジトリとの通信を介して機械可読コードに関連付けられた１セットの構成情報の取得を実行し、選択された機器を監視する間にコンポーネントのうちの少なくとも１つと通信するように設計された監視装置にそのセットの構成情報の通信を実行して、互いに物理的におよび／または電気的にインターフェースするように設計された監視装置および１つまたは複数のコンポーネントの間の通信インターフェースを構成する技術的効果をもたらす。本明細書は、最良の形態を含めて、本発明を開示するために、そしてまた、任意のデバイスまたはシステムの作成および使用と任意の組み込まれた方法の実行とを含めて、本発明を当業者が実践できるようにするために、例を使用する。本発明の特許性のある範囲は、特許請求の範囲によって定義され、当業者に思い当たる他の例を含み得る。そのような他の例は、それらが、本特許請求の範囲の文字通りの言葉と異ならない構造的要素を有する場合、またはそれらが本特許請求の範囲の文字通りの言葉とごくわずかな差を有する同等の構造的要素を含む場合に、本特許請求の範囲内にあるものとする。
【符号の説明】
【００６１】
１１０  タービン
１２０〜１２４  機器監視コンポーネント
１２８  ケーブル
１３０  監視装置
１３２  監視通信ハードウェア
１３４  監視通信ソフトウェア
１３６  ユーザインターフェースハードウェア
１３８  リポジトリソフトウェア
１４０  コード走査デバイス
１４０ａ  ユーザインターフェース表示画面
１４０ｂ  テキスト入力キーボード
１５０〜１５４  機械可読コード
２００  計算ハードウェア
２１０  システムバス
２１２  中央処理ユニット
２１４  物理メモリ
２１８  通信入力／出力ハードウェア
２２０  オペレーティングシステム
２２２  データリポジトリ
２２４  コンピュータネットワーク
２３０  仮想メモリ
３３２〜３３８  ラック
３４０  カード
【図１】
2013069281.tif 000003
【図２】
2013069281.tif 000004
【図３】
2013069281.tif 000005
【図４】
2013069281.tif 000006
【外国語明細書】
2013069281000001.pdf